(57)【要約】【課題】スペクトル形状に依らず、高精度な測定を容易に行うことができる色測定方法、色測定装置、および三刺激値直読型計測器の提供。【解決手段】三刺激値直読型計測器を使用した色測定方法は、三刺激値直読型計測器によって測定対象を計測し、光学フィルタの分光透過特性と受光素子の分光感度特性とに基づく分光応答度に応じた計測値を取得する計測値取得工程Ｓ２１と、分光応答度が変換された単一波長毎の計測器色座標において、互いに異なる単一波長をそれぞれ示す３点を頂点とする三角形のうち、計測値から算出された計測色度を含み、かつ面積が最小となる三角形を検索する最適単一波長検索工程Ｓ２２と、その三角形の頂点である３点の単一波長それぞれにおける分光応答度と等色関数との関係から、計測値を補正するマトリクス補正値を算出する補正値算出工程Ｓ２３と、を備える。【選択図】図１０
2008304362.tif 000002
【特許請求の範囲】
【請求項１】
光学フィルタおよび受光素子を有する３つの光電センサを備えた三刺激値直読型計測器を使用した色測定方法であって、
前記三刺激値直読型計測器によって測定対象を計測し、前記光学フィルタの分光透過特性と前記受光素子の分光感度特性とに基づく分光応答度に応じた計測値を取得する計測値取得工程と、
前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出工程と、を備える、
ことを特徴とする色測定方法。
【請求項２】
光学フィルタおよび受光素子を有する３つの光電センサを備え、前記光学フィルタの分光透過特性と前記受光素子の分光感度特性とに基づく分光応答度に応じた計測値を出力する三刺激値直読型計測器と、
前記三刺激値直読型計測器に接続され、前記計測値が入力されるコンピュータ装置とを備え、
前記コンピュータ装置における制御部は、
前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出部を有する
ことを特徴とする色測定装置。
【請求項３】
光学フィルタおよび受光素子を有する３つの光電センサを備えた三刺激値直読型計測器であって、
前記光学フィルタの分光透過特性と前記受光素子の分光感度特性とに基づく前記分光応答度に応じた計測値を出力する計測器本体と、
前記計測値が入力される制御部とを備え、
前記制御部は、
前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出部を有する
ことを特徴とする三刺激値直読型計測器。
【発明の詳細な説明】
【技術分野】
【０００１】
本発明は、色測定方法、色測定装置、および三刺激値直読型計測器に関する。
【背景技術】
【０００２】
従来、プロジェクタなどの画像表示装置における表示画像の品質を検査するために、安価でかつ測定時間の短い三刺激値直読型計測器が用いられている（例えば、特許文献１、２）。三刺激値直読型計測器は、等色関数に近似したＲＧＢの３つの光学フィルタと、これらの光学フィルタにそれぞれ対応するフォトダイオード等の複数の受光素子とを備え、光学フィルタの分光透過特性と、受光素子の分光感度特性とによって決まる分光応答度に応じた計測値を出力する。
このような三刺激値直読型計測器における分光応答度が等色関数と一致するように、光学フィルタや受光素子を設計することは困難であるため、三刺激値直読型計測器の計測値には誤差が生じてしまう。すなわち、三刺激値直読型計測器の計測値（ＲＧＢ値）は、等色関数に準拠した分光型計測器の計測値（ＣＩＥ  ＸＹＺ値）とは異なる。
【０００３】
このような分光応答度と等色関数との差異を埋める一般的な方法として、分光型計測器を用いて三刺激値直読型計測器の校正を行う方法が知られている。
例えば、校正用の光源を三刺激値直読型計測器と分光型計測器とでそれぞれ計測し、三刺激値直読型計測器の計測値（ＲＧＢ値）が分光型計測器の計測値（ＣＩＥ  ＸＹＺ値）（基準測定値）に一致するような色変換パラメータを予め求めておく。そして、測定対象を三刺激値直読型計測器で実測する際に、前記色変換パラメータによって三刺激値直読型計測器の計測値を補正する。
しかしながら、この色変換パラメータは、三刺激値直読型計測器の分光応答度と等色関数とに差異がある以上、校正用の光源のスペクトル形状に依存したものとなり、校正用の光源とスペクトル形状の異なる測定対象を計測した場合には、計測値に誤差が生じてしまう。
そこで、スペクトル形状の差異による計測値の誤差を低減させるために、色変換パラメータを光源の波長毎に複数設定しておくことが知られている（特許文献１）。
【０００４】
また、計測値に影響を与える要素として、上述した光源のスペクトル形状のほかに、分光のピーク波長等があり、この分光のピーク波長等は、被測定製品毎に変化する。このため、測定する都度、受光素子の受光感度特性、もしくは測定対象の階調に応じた補正パラメータを求めることが知られている（特許文献２）。
【０００５】
【特許文献１】特開２００１−３２４３８６号公報
【特許文献２】特開２００７−９３４７７号公報
【発明の開示】
【発明が解決しようとする課題】
【０００６】
ところで、プロジェクタやディスプレイに使用されている液晶パネル等の表示体は、旋光性が光の波長に応じて変化する旋光分散特性を有することが多い。この旋光分散特性は、印加電圧に対する液晶の透過率で決まる透過特性（ＶＴ特性）が光の波長によって異なることを示す。すなわち、旋光分散特性を有する表示体を測定すると、スペクトル形状が印加電圧によって、つまり階調（明るさ）によって異なることになる。
【０００７】
しかしながら、特許文献１では、光源によるスペクトル形状の差異には対応できても、旋光分散特性が考慮されていないので印加電圧（明るさ、階調）に応じたスペクトル形状の差異には対応できない。
一方、特許文献２では、明るさに応じた補正パラメータを有することで旋光分散特性は考慮されているものの、測定精度を高めるためには多くの補正パラメータを求めなくてはならないから、計測に時間が掛かってしまう。
【０００８】
そこで、本発明の目的は、スペクトル形状に依らず、高精度な測定を容易に行うことができる色測定方法、色測定装置、および三刺激値直読型計測器を提供することにある。
【課題を解決するための手段】
【０００９】
本発明の色測定方法は、光学フィルタおよび受光素子を有する３つの光電センサを備えた三刺激値直読型計測器を使用した色測定方法であって、前記三刺激値直読型計測器によって測定対象を計測し、前記光学フィルタの分光透過特性と前記受光素子の分光感度特性とに基づく分光応答度に応じた計測値を取得する計測値取得工程と、前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出工程と、を備えることを特徴とする。
【００１０】
また、本発明の色測定装置は、光学フィルタおよび受光素子を有する３つの光電センサを備え、前記光学フィルタの分光透過特性と前記受光素子の分光感度特性とに基づく分光応答度に応じた計測値を出力する三刺激値直読型計測器と、前記三刺激値直読型計測器に接続され、前記計測値が入力されるコンピュータ装置とを備え、前記コンピュータ装置における制御部は、前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出部を有することを特徴とする。
【００１１】
さらに、本発明の三刺激値直読型計測器は、光学フィルタおよび受光素子を有する３つの光電センサを備えた三刺激値直読型計測器であって、前記光学フィルタの分光透過特性と前記受光素子の分光感度特性とに基づく前記分光応答度に応じた計測値を出力する計測器本体と、前記計測値が入力される制御部とを備え、前記制御部は、前記分光応答度が単一波長毎に変換された計測器色座標において、互いに異なる単一波長をそれぞれ示す３点を頂点とする三角形のうち、前記計測値から算出された計測色度を含み、かつ面積が最小となる三角形の頂点である３点の単一波長それぞれにおける前記分光応答度と等色関数との関係から、前記計測値を補正するマトリクス補正値を算出する補正値算出部を有することを特徴とする。
【００１２】
これらの各発明によれば、三刺激値直読型計測器による計測値を補正するマトリクス補正値を、その三刺激値直読型計測器の分光応答度が変換された計測器色座標における前記３点の単一波長における分光応答度と等色関数との関係から算出する。ここで、本件出願人は、分光応答度が単一波長毎に変換された計測器色座標と等色関数が単一波長毎に変換された等色関数色座標との関係から、単一波長に関しては、三刺激値直読型計測器の分光応答度と等色関数との差異による誤差を解消できるという新たな知見を得た。これに基づき、複数の波長が合成された複合波長に関しても、計測器色座標における３点の単一波長における分光応答度と等色関数との関係からマトリクス補正値を求め、これによって前記誤差を低減できることとなる。特に、本発明では、計測器色座標において計測値の色度を含みかつ最小面積となる三角形の頂点として、補正に最適な３つの単一波長が選択されるので、単一波長の測定対象を補正する場合に近い処理が可能となり、前記誤差をより低減できる。
このような本発明では、三刺激値直読型計測器の分光応答度を用いて計測値を補正することにより、光源や階調によって異なるスペクトル形状に対応できるので、高精度な色測定を実現できる。
また、このように三刺激値直読型計測器の分光応答度を用いて計測値を補正することにより、光源や階調毎に異なるスペクトル形状に対応できるので、従来のように光源や階調毎に多数の補正値を必要とすることなく、測定を短時間でかつ容易にできる。
【００１３】
ここで、分光応答度は、波長λの関数であって、入射する単色光パワー当たりの計測器の出力をいい、ある波長λの波長幅dλごとの計測器の出力dY（λ）をその入力dX（λ）で割ることによって求められる。この分光応答度は、光学フィルタの分光透過特性と受光素子の分光感度特性とによって決まり、計測器の分光応答度のことを計測器の分光感度ともいう。
【００１４】
なお、上記色測定装置は、三刺激値直読型計測器とコンピュータ装置とを備えて構成され、コンピュータ装置の制御部が補正値算出部を有するため、三刺激値直読型計測器については既存のものを利用できるという効果を奏する。
一方、上記三刺激値直読型計測器は、補正値算出部を有する制御部を備えるので、コンピュータ装置を不要にでき、扱い易いという効果を奏する。
【発明を実施するための最良の形態】
【００１５】
以下、本発明の一実施形態を図面に基づいて説明する。
〔１．全体構成〕
図１は、本実施形態に係る色測定装置１の構成を示すブロック図である。
色測定装置１は、測定対象としての液晶プロジェクタ等から出力された光束が入射する透過型の白色板１０と、白色板１０を介して入射した測定対象を計測する三刺激値直読型計測器２０と、コンピュータ装置３０とを備えて構成されている。
【００１６】
〔２．三刺激値直読型計測器の構成〕
三刺激値直読型計測器２０は、赤（ＲＥＤ）、緑（ＧＲＥＥＮ）、青（ＢＬＵＥ）にそれぞれ対応する３つの光電センサ２０Ｒ，２０Ｇ，２０Ｂと、制御部２６と、記憶部２７とを備えている。
光電センサ２０Ｒ，２０Ｇ，２０Ｂは、色ガラス等で形成される光学フィルタ２１Ｒ，２１Ｇ，２１Ｂと、フォトダイオード等で構成される受光素子２２１，２２２，２２３とを有し、これらを併せて、等色関数（ＣＩＥ  ＸＹＺ表色系）に近似した分光応答度が得られるように設計されている。
【００１７】
赤（ＲＥＤ）に対応する光電センサ２０Ｒは、光学フィルタ２１Ｒと、受光素子２２１と、Ｉ／Ｖ変換回路（電流／電圧変換回路）２３１と、増幅回路２４１と、Ａ／Ｄ変換回路（アナログ／デジタル変換回路）２５１とを有している。
同様に、緑（ＧＲＥＲＮ）に対応する光電センサ２０Ｇは、光学フィルタ２１Ｇと受光素子２２２と、Ｉ／Ｖ変換回路２３１と、増幅回路２４１と、Ａ／Ｄ変換回路２５１とを有しており、青（ＢＲＵＥ）に対応する光電センサ２０Ｂは、光学フィルタ２１Ｂと受光素子２２３と、Ｉ／Ｖ変換回路２３１と、増幅回路２４１と、Ａ／Ｄ変換回路２５１とを有している。
【００１８】
各光学フィルタ２１Ｒ，２１Ｇ，２１Ｂはそれぞれ、所定の分光透過特性を有し、白色板１０（図１）を介して入射した光をこの分光透過特性に従って透過させる。
これらの光学フィルタ２１Ｒ，２１Ｇ，２１Ｂをそれぞれ透過した光は、対応する受光素子２２１〜２２３にそれぞれ入射する。各受光素子２２１〜２２３はそれぞれ、入射光を所定の分光感度特性に従って受光し、受光した光の強さを示す電流を出力する。
【００１９】
各受光素子２２１〜２２３からそれぞれ出力された電流は、対応するＩ／Ｖ変換回路２３１〜２３３によって電圧にそれぞれ変換され、この電圧は、増幅回路２４１〜２４３によってそれぞれ増幅される。そして、増幅された電圧（アナログ値）は、Ａ／Ｄ変換回路２５１〜２５３によってデジタル値にそれぞれ変換されてから、光電センサ２０Ｒ，２０Ｇ，２０Ｂ毎の計測値として制御部２６にそれぞれ出力される。
このように、光電センサ２０Ｒ，２０Ｇ，２０Ｂによって出力される３つの計測値は、三刺激値として直読可能となっている。
【００２０】
制御部２６は、ＣＰＵ（Central Processing Unit）等で構成され、光電センサ２０Ｒ，２０Ｇ，２０Ｂからそれぞれ出力された計測値をコンピュータ装置３０に出力する処理等を実施する。
記憶部２７は、例えば、ＥＥＰＲＯＭ(Electronically Erasable and Programmable Read Only Memory)やＲＡＭ(Random Access Memory)等のメモリや、ハードディスク等で構成され、前記ＣＰＵを駆動するためのプログラムや、処理によって得られたデータ等を記憶する。
【００２１】
〔３．コンピュータ装置の内部構成〕
コンピュータ装置３０は、ＰＣ（Personal Computer）本体３１、モニタ３２、およびキーボードなどの入力手段３３を備えている。
ＰＣ本体３１は、ＣＰＵ、メモリ、ハードディスク、外部入出力部などを有して構成されており、ＰＣ本体３１の内部や外部からメモリに読み込んだプログラムを主としてメモリおよびＣＰＵによって実行可能となっている。
【００２２】
図２は、ＰＣ本体３１のメモリおよびＣＰＵを含んで構成される制御部の内部構成を示す。この制御部は、プログラムに含まれる各処理である分光応答度算出部３１１と、最適単一波長検索部３１２と、マトリクス補正値作成部３１３と、計測値補正部３１４とをそれぞれ実行可能な状態で有している。ここで、最適単一波長検索部３１２と、マトリクス補正値作成部３１３とにより、計測値補正値算出部が構成されている。
【００２３】
〔４．三刺激値直読型計測器の分光応答度取得工程〕
図３は、色測定装置１（図１）の分光応答度取得モードにおける各工程を示すフローチャートである。この分光応答度取得工程は、分光特性取得工程Ｓ１１と、分光応答度算出工程Ｓ１２と、分光応答度保存工程Ｓ１３とを備え、三刺激値直読型計測器２０の分光応答度を取得する。以下、各工程について説明する。
【００２４】
〔４−１．分光透過特性・分光感度特性の取得〕
まず、分光特性取得工程Ｓ１１では、光学フィルタ２１Ｒ，２１Ｇ，２１Ｂのそれぞれの分光透過特性と、受光素子２２１〜２２３の分光感度特性とを取得する。
ここで、分光透過特性の取得は、等色関数に準拠した分光型計測器（図示省略）を使用し、校正用の光源（標準光源など）からの光が光学フィルタ２１Ｒ，２１Ｇ，２１Ｂを透過した際の分光スペクトルと透過しない際の分光スペクトルとを比較する公知の手法によって行う。なお、分光透過特性の取得は、個々の三刺激値直読型計測器のそれぞれを対象に行うのが理想的であるが、特性が同じと想定される一群の三刺激値直読型計測器から代表して一つないし複数を対象に行っても良い。なお、本実施形態で使用する分光計測器の最小サンプリング単位は２ｎｍである。
一方、分光感度特性は、受光素子２２１〜２２３の製品のデータシートから取得できるが、光源の波長を切り換え、波長毎に受光素子で受光させることにより、受光素子２２１〜２２３の受光感度を実測してもよい。
図４、図５に、取得した分光透過特性および分光感度特性の例をそれぞれ示す。
【００２５】
図４は、光学フィルタ２１Ｒ，２１Ｇ，２１Ｂのそれぞれの分光透過特性を示す。分光透過特性は、入射光の波長λに対する透過率によって規定され、光学フィルタ２１Ｒ，２１Ｇ，２１Ｂはそれぞれ、Ｔｒ（λ），Ｔｇ（λ），Ｔｂ（λ）の分光透過特性を有する。すなわち、光学フィルタ２１Ｒ，２１Ｇ，２１Ｂは、入射した光のうち、それぞれの分光透過特性Ｔｒ（λ），Ｔｇ（λ），Ｔｂ（λ）により、所定の波長の光を所定の透過率で透過させる。
【００２６】
図５は、受光素子２２１〜２２３の分光感度を示す。本実施形態では、受光素子２２１〜２２３のうち受光素子２２１の受光感度特性のみを取得し、このほかの受光素子２２２，２２３の受光感度特性は、受光素子２２１の受光感度特性と同じとみなす。
分光感度特性は、入射光の波長λに対する分光感度によって規定され、受光素子２２１〜２２３はいずれも、図５に示す分光感度特性Ｕ（λ）を有する。すなわち、受光素子２２１〜２２３はそれぞれ、入射した光のうち、この分光感度特性Ｕ（λ）により、所定の波長の光を所定の感度で受光し、受光感度を示す大きさの電流を出力する。
【００２７】
〔４−２．分光応答度の算出〕
次に、分光応答度算出工程Ｓ１２（図３）に進み、上述の図４、図５にそれぞれ示した分光透過特性Ｔｒ（λ），Ｔｇ（λ），Ｔｂ（λ）と分光感度特性Ｕ(λ)とに基づいて、三刺激値直読型計測器２０に固有の分光応答度を算出する。この処理は、本実施形態では、三刺激値直読型計測器２０に接続されたコンピュータ装置３０（図１）によって行う。
【００２８】
ＰＣ本体３１の分光応答度算出部３１１（図２）は、分光透過特性Ｔｒ（λ）と分光感度特性Ｕ(λ)とを、また、分光透過特性Ｔｇ（λ）と分光感度特性Ｕ(λ)とを、さらに、分光透過特性Ｔｂ（λ）と分光感度特性Ｕ(λ)とを、それぞれ波長毎に掛け合わせることによって、三刺激値直読型計測器２０の分光応答度を算出する。
図６は、算出した三刺激値直読型計測器２０の分光応答度Ｒ（λ）、Ｇ（λ）、Ｂ（λ）を示す。すなわち、三刺激値直読型計測器２０の分光応答度Ｒ（λ）、Ｇ（λ）、Ｂ（λ）は、光学フィルタ２１Ｒ，２１Ｇ，２１Ｂの分光透過特性、および受光素子２２１〜２２３の分光感度特性の組み合わせによって決まる。この分光応答度Ｒ（λ）、Ｇ（λ）、Ｂ（λ）に基づいて、個々の三刺激値直読型計測器２０に固有の色空間が形成される。
【００２９】
なお、上述の分光特性取得工程Ｓ１１において、受光素子２２１〜２２３の受光感度特性を同じとみなさずに、受光素子２２１〜２２３のそれぞれの受光感度特性を取得してもよく、この場合は、光学フィルタ２１Ｒ，２１Ｇ，２１Ｂの分光透過特性Ｔｒ（λ），Ｔｇ（λ），Ｔｂ（λ）にそれぞれ、対応する受光素子２２１〜２２３の分光感度特性Ｕ(λ)を波長毎に掛け合わせることにより、分光応答度Ｒ（λ）、Ｇ（λ）、Ｂ（λ）を算出する。
【００３０】
ここで、図７は、上記の処理で求めた三刺激値直読型計測器２０の分光応答度Ｒ（λ）、Ｇ（λ）、Ｂ（λ）と、等色関数（color matching functions）ｘ（λ），ｙ（λ），ｚ（λ）とをそれぞれ示す。光学フィルタ２１Ｒ，２１Ｇ，２１Ｂおよび受光素子２２１〜２２３の光学設計の誤差により、分光応答度Ｒ（λ），Ｇ（λ），Ｂ（λ）は、等色関数ｘ（λ），ｙ（λ），ｚ（λ）には一致しない。特に、三刺激値直読型計測器２０の分光ピーク波長が等色関数の分光ピーク波長に一致しないことから、光電センサ２０Ｒ，２０Ｇ，２０Ｂによる計測値（ＲＧＢ三刺激値）には誤差が生じることとなる。
【００３１】
〔４−３．分光応答度の保存〕
分光応答度保存工程Ｓ１３（図３）では、前記工程Ｓ１２で算出した三刺激値直読型計測器２０の分光応答度（図６）を記憶部２７（図１）に保存する。
以上の処理により、三刺激値直読型計測器２０の分光応答度の取得処理を終了する。
【００３２】
〔単一波長の補正に関する考察〕
ここで、分光応答度（図６）を変換した計測器色座標について考察する。
図８は、三刺激値直読型計測器２０の分光応答度Ｒ（λ），Ｇ（λ），Ｂ（λ）（図７）を変換した計測器色座標と、等色関数ｘ（λ），ｙ（λ），ｚ（λ）（図７）を変換した等色関数色座標とをそれぞれ示す。
【００３３】
等色関数色座標の作成に際して、単一波長毎に、次の式（１）から三刺激値Ｘ，Ｙ，Ｚを得る。この三刺激値Ｘ，Ｙ，Ｚは、光源の分光分布ｓ（λ）に等色関数ｘ（λ），ｙ（λ），ｚ（λ）を掛け合わせ、積分した値となる。なお、ｋは定数である。
【００３４】
【数１】
2008304362.tif 000003
【００３５】
上記式（１）により、単一波長毎に求められた三刺激値Ｘ，Ｙ，Ｚの比を、次式（２）のように色度ｘ，ｙに数値化することにより、図８に示したような等色関数色座標（色度図）を得る。図８には、分光型計測器の最小サンプリング単位に対応して、単一波長を示す点を２ｎｍ毎にプロットした。プロットされた単一波長の内側が可視光（３８０〜７８０ｎｍ）を示す。
【００３６】
【数２】
2008304362.tif 000004
【００３７】
一方、計測器色座標を作成する際は、単一波長毎に、次の式（３）から三刺激値Ｘ´，Ｙ´，Ｚ´を得る。この三刺激値Ｘ´，Ｙ´，Ｘ´は、光源の分光分布ｓ（λ）に、等色関数の代わりに図６の分光応答度Ｒ（λ）、Ｇ（λ）、Ｂ（λ）を掛け合わせ、積分した値となる。
【００３８】
【数３】
2008304362.tif 000005
【００３９】
上記式（３）により、単一波長毎に求められた三刺激値Ｘ´，Ｙ´，Ｚ´の比を、次式（４）のように色度ｘ，ｙに数値化することにより、図８に示したような計測器色座標（色度図）を得る。この計測器色座標においても、単一波長を示す点を２ｎｍ毎にプロットした。
【００４０】
【数４】
2008304362.tif 000006
【００４１】
図８から、計測器色座標における色度は、等色関数色座標の色度に対して誤差を有することがわかる。ここで、計測器色座標の単一波長の色度（図８にプロットした点）を等色関数色座標の単一波長の色度（図８にプロットした点）に補正することを考えてみる。
すなわち、図９に示すような単一波長を示す任意の３点（Ａ１，Ｂ１，Ｃ１や、Ａ２，Ｂ２，Ｃ２等）のマトリクス演算によって、計測器色座標の値を等色関数の値に補正する補正値を単一波長毎に算出することが可能となる。このように、単一波長に関しては、三刺激値直読型計測器２０の計測値を等色関数に準拠した計測値に一致させることが可能となる。
【００４２】
本実施形態の三刺激値直読型計測器２０の測定対象は、複数の波長の合成波であるが、このような測定対象の計測値についても、ここで述べた考察に基づいて補正する。次に述べる色測定方法（図１０）では、分光応答度（図６）を用いて、三刺激値直読型計測器２０による計測値を補正する。
【００４３】
〔５．色測定装置による色測定方法〕
図１０は、図１に示した色測定装置１の計測モードにおける色測定の各工程（色測定方法）を示すフローチャートである。この色測定では、三刺激値直読型計測器２０による計測値を補正する。ここでは、測定対象は液晶プロジェクタとするが、これに限らない。
この色測定工程は、計測値取得工程Ｓ２１と、最適単一波長検索工程Ｓ２２と、マトリクス補正値作成工程Ｓ２３と、計測値補正工程Ｓ２４とを備えている。ここで、最適単一波長検索工程Ｓ２２と、マトリクス補正値作成工程Ｓ２３とにより、計測値補正値算出工程が構成されている。以下、各工程について説明する。
【００４４】
〔５−１．計測値の取得〕
計測値取得工程Ｓ２１では、三刺激値直読型計測器２０によってプロジェクタから射出された光を計測し、各光電センサ２０Ｒ，２０Ｇ，２０Ｂ毎の計測値Ｒ，Ｇ，Ｂ（三刺激値）を取得する。この計測値Ｒ，Ｇ，Ｂは、三刺激値直読型計測器２０の制御部２６からＰＣ本体３１に出力される。以下の工程Ｓ２２〜Ｓ２４では、コンピュータ装置３０により、この計測値Ｒ，Ｇ，Ｂを補正する。
【００４５】
ここで、計測値Ｒ，Ｇ，Ｂから色度を求め、前述した計測器色座標（図８）において計測値を捉える。ここでは例えば、図１１のような分光分布を有する測定対象を想定する。この測定対象を計測した計測値Ｒ，Ｇ，Ｂは、色度ｘ，ｙへの変換により（下記の式（５）参照）、計測器色座標において、図１２の×印のように示される。
【００４６】
【数５】
2008304362.tif 000007
【００４７】
〔５−２．最適単一波長の検索〕
次に、最適単一波長検索工程Ｓ２２（図１０）では、計測値Ｒ，Ｇ，Ｂの補正に最適な単一波長を検索する。ここで、最適単一波長検索部３１２（図２）は、図１３に示すように、計測器色座標において、単一波長の色座標３点（プロットされた点）を結ぶことで形成され且つ計測値の色度（×印）を含む全ての三角形の中から、面積が最小となる三角形を検索する。これにより、計測値Ｒ，Ｇ，Ｂに係る複合波長に最も近く、この計測値の補正に最適な３つの単一波長が求められる。
【００４８】
〔５−３．マトリクス補正値の作成〕
続くマトリクス補正値作成工程Ｓ２３（図１０）では、前記工程Ｓ２２により求められた３つの単一波長における分光応答度と等色関数との関係（図７）に基づいて、マトリクス補正値を作成する。
マトリクス補正値作成部３１３（図２）は、前記工程Ｓ２２で求められた３つの単一波長から、次式（６）のように、マトリクス補正値Ｍを作成する。ここで、Ｘdata１，Ｙdata１，Ｚdata１は、１つ目の単一波長に係る分光応答度であり、Ｘdata２，Ｙdata２，Ｚdata２は、２つ目の単一波長に係る分光応答度であり、Ｘdata３，Ｙdata３，Ｚdata３は、３つ目の単一波長に係る分光応答度である。また、Ｘcmf１，Ｙcmf１，Ｚcmf１は、１つ目の単一波長に係る等色関数での値であり、Ｘcmf２，Ｙcmf２，Ｚcmf２は、２つ目の単一波長に係る等色関数での値であり、Ｘcmf３，Ｙcmf３，Ｚcmf３は、３つ目の単一波長に係る等色関数での値である。
【００４９】
【数６】
2008304362.tif 000008
【００５０】
〔５−４．計測値の補正〕
そして、計測値補正工程Ｓ２４（図１０）では、計測値補正部３１４（図２）により、下記の式（７）のように、マトリクス補正値Ｍ（式（６））を計測値Ｒ，Ｇ，Ｂに掛けるマトリクス演算を行う。これによって、ＣＩＥ  ＸＹＺ表色系に準拠した値に補正された測定値Ｘ，Ｙ，Ｚが得られる。
【００５１】
【数７】
2008304362.tif 000009
【００５２】
以上により、色測定装置１による測定対象の色測定を終了する。
【００５３】
〔６．本実施形態による効果〕
以上の本実施形態に係る分光スペクトルに基づく色測定によれば、次のような効果が得られる。
（１）計測器色座標（図１３）における３点の単一波長における分光応答度と等色関数との関係からマトリクス補正値（式（６））を求めるので、三刺激値直読型計測器２０の分光応答度と等色関数との差異による誤差（図７参照）を低減できる。特に、計測器色座標（図１３）において計測色度（×印）を含みかつ最小面積となる三角形の頂点として、補正に最適な３つの単一波長が選択されるので、単一波長の測定対象を補正する場合に近い処理が可能となり、前記誤差をより低減できる。
これらのことから、三刺激値直読型計測器２０の分光応答度を用いて計測値を補正することにより、光源や階調によって異なるスペクトル形状に対応できるので、高精度な色測定を実現できる。
また、このように三刺激値直読型計測器２０の分光応答度を用いて計測値を補正することにより、光源や階調毎に異なるスペクトル形状に対応できるので、従来のように光源や階調毎に多数の補正値を必要とすることなく、測定を短時間でかつ容易にできる。
【００５４】
〔本発明の変形例〕
なお、本発明は前記実施形態に限定されるものではなく、本発明の目的を達成できる範囲での変形、改良等は本発明に含まれるものである。
【００５５】
前記実施形態の色測定装置１において、コンピュータ装置３０の制御部（図２）が備えていた機能の一部は、図１４のように三刺激値直読型計測器に組み込まれていてもよい。図１４の三刺激値直読型計測器は、計測器本体２０１と、制御部２０２とを備えている。制御部２０Ｂは、最適単一波長検索部３１２と、マトリクス補正値作成部３１３と、計測値補正部３１４と、記憶部２７とを有している。記憶部２７には予め、この図１４の三刺激値直読型計測器の分光応答度を求めて保存しておく。図１４の三刺激値直読型計測器は、記憶部２７に保存された分光応答度に基づいて、コンピュータ装置が無くても計測値の補正を行うことができる。
【００５６】
また、前記実施形態では、計測に先立って算出した三刺激値直読型計測器２０の分光応答度を記憶部２７に保存し、計測値の補正にあたり、この分光応答度を読み出して使用していたが、この分光応答度が変換された計測器色座標（図８）を記憶部２７に保存し、この計測器色座標を読み出して使用することにより、計測値の補正を行っても良い。
【００５７】
前記実施形態では、標準光源等の校正用の光源を使用して三刺激値直読型計測器２０の分光応答度を取得していたが、分光応答度の取得に際して、３つ以上の単一波長が合成された光源を使用することも可能である。
【００５８】
本発明における測定対象としては、特に限定されず、液晶パネルやプラズマディスプレイ、ＥＬディスプレイ、ＤＭＤ（ダイレクト・ミラー・デバイス）などの表示体部品、およびこれらを使用したフロントプロジェクタやリアプロジェクタ等の表示装置などを例示できる。本発明は、これらの各種表示装置の色評価に係る検査などに利用できる。これらの表示装置に光源が使用される場合、その光源の波長は問わず、例えば、ハロゲンランプ、キセノンランプ、水銀高圧ランプ、メタルハライドランプなどであってよい。
【００５９】
さらに、本発明は、三刺激値直読型の色彩計、照度計、輝度計などの三刺激値直読型計測器に限らず、ＣＣＤ(Charge Coupled Device)やＭＯＳ(Metal Oxide Semiconductor)等の二次元センサを用いた三刺激値直読型計測器にも適用可能である。
【００６０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６１】
【図１】本発明の実施形態に係る色測定装置の構成を示すブロック図。
【図２】前記実施形態におけるＰＣ本体の内部構成を示すブロック図。
【図３】前記実施形態における三刺激値直読型計測器の分光応答度取得工程を示すフローチャート。
【図４】前記三刺激値直読型計測器が有する光学フィルタの分光透過特性を示す図。
【図５】前記三刺激値直読型計測器が有する受光素子の分光感度特性を示す図。
【図６】前記三刺激値直読型計測器の分光応答度を示す図。
【図７】図６の分光応答度と等色関数とを重ねて示した図。
【図８】図６の分光応答度から得られた単一波長の色座標（計測器色座標）と等色関数から得られた単一波長の色座標（等色関数色座標）とを示す図。
【図９】前記計測器色座標における任意の３点の単一波長から、単一波長に係る補正値が単一波長毎に得られることを説明するための図。
【図１０】前記実施形態における三刺激値直読型計測器を使用した色測定方法を示すフローチャート。
【図１１】測定対象の分光分布を示す図。
【図１２】前記測定対象の三刺激値直読型計測器による計測値を前記計測器色座標において示した図。
【図１３】前記計測器色座標において最小の面積となる三角形の頂点の３点の単一波長から、計測値が補正可能であることを説明するための図。
【図１４】本発明の変形例に係る三刺激値直読型計測器の構成を示すブロック図。
【符号の説明】
【００６２】
１・・・色測定装置、２０・・・三刺激値直読型計測器、２０１・・・計測器本体、２０２・・・制御部、２０Ｒ，２０Ｇ，２０Ｂ・・・光電センサ、２１Ｒ，２１Ｇ，２１Ｂ・・・光学フィルタ、２６・・・制御部、２７・・・記憶部、３０・・・コンピュータ装置、２２１〜２２３・・・受光素子、３１１・・・分光応答度算出部、３１２・・・最適単一波長検索部、３１３・・・マトリクス補正値作成部、３１４・・・計測値補正部、Ｓ１１・・・分光特性取得工程、Ｓ１２・・・分光応答度算出工程、Ｓ１３・・・分光応答度保存工程、Ｓ２１・・・計測値取得工程、Ｓ２２・・・最適単一波長検索工程、Ｓ２３・・・マトリクス補正値作成工程、Ｓ２４・・・計測値補正工程。
【図１】
2008304362.tif 000010
【図２】
2008304362.tif 000011
【図３】
2008304362.tif 000012
【図４】
2008304362.tif 000013
【図５】
2008304362.tif 000014
【図６】
2008304362.tif 000015
【図７】
2008304362.tif 000016
【図８】
2008304362.tif 000017
【図９】
2008304362.tif 000018
【図１０】
2008304362.tif 000019
【図１１】
2008304362.tif 000020
【図１２】
2008304362.tif 000021
【図１３】
2008304362.tif 000022
【図１４】
2008304362.tif 000023